(57)【要約】      （修正有）【課題】所望の音響を実現するオルゴールを提供する。【解決手段】複数の振動弁１８を備えた振動板１６が台座３０に固定され、台座３０に備えられたフランジ部３０ｆは、複数の振動弁１８が振動板１６から延びる方向に突出し、複数の振動弁１８と対向する位置にわたって設けられ、振動弁１８から発生させられた音の振動はフランジ部３０ｆにより反射させられることや、振動がフランジ部３０ｆから筐体に伝達されることで、演奏機構部の発生音量を大きくする。【選択図】図５
2015011242.tif 000002
【特許請求の範囲】
【請求項１】
複数の振動弁を備える振動板と、
前記振動板の端部であって、前記複数の振動弁が備えられた一端とは異なる端部が固定される台座と、
前記複数の振動弁に接触可能であって、前記複数の振動弁に対応して設けられた複数の爪と、
前記台座から、前記振動板において前記複数の振動弁が延びる方向に突出し、前記複数の振動板と対向する位置にわたって設けられたフランジ部と
を、備えたものであることを特徴とするオルゴール。
【請求項２】
前記複数の振動弁は、それぞれの音高に対応して異なる弁長さ寸法で形成されたものであり、
前記フランジ部は、前記複数の振動弁のうち最長の振動弁の弁長さ寸法に対応する突出長さ寸法で形成されたものである
請求項１に記載のオルゴール。
【請求項３】
前記複数の振動弁は、それぞれの音高に対応して異なる弁長さ寸法で形成され且つ前記弁長さ寸法が長い順番に所定の方向に配列されたものであり、
前記フランジ部は、前記複数の振動弁のうち、長弁側の所定本数の振動弁に対向する位置に突出して形成されたものである
請求項１又は２に記載のオルゴール。
【請求項４】
前記複数の振動弁は、それぞれの音高に対応して異なる弁長さ寸法で形成され且つ前記弁長さ寸法が長い順番に所定の方向に配列されたものであり、
前記フランジ部は、前記複数の振動弁が設けられる面と平行であり、前記複数の振動弁のうち、長弁側の所定本数の振動弁と短弁側の所定本数の振動弁とに対向する位置に突出して形成されたものである
請求項１から３の何れか１項に記載のオルゴール。
【請求項５】
前記振動弁の振動に共振する共鳴板を備え、
前記台座は、前記共鳴板に直接又は間接的に固定されており、前記フランジ部の振動が前記共鳴板に伝達されるものである
請求項１から４の何れか１項に記載のオルゴール。
【発明の詳細な説明】
【技術分野】
【０００１】
本発明は、オルゴールに関し、特に、所望の音響を実現するための改良に関する。
【背景技術】
【０００２】
音楽を奏でる装置としてオルゴールが知られている。このオルゴールは、例えば、所定の平面上に複数の振動弁を備えた平板状の振動板を備えている。複数の振動弁は、それぞれの音高に対応している。各振動弁が弾かれることで、対応する音高の音が発生させられる。斯かるオルゴールにおいて、音響を向上させる技術が提案されている。例えば、特許文献１に記載されたオルゴール用ピン構造がそれである。この技術によれば、ピン構造は、各音のそれぞれが、弾かれる振動弁と、振動弁に対向する振動板との１対の片で構成されている。これにより、各振動弁が弾かれた際に、弾かれた振動弁と対向する振動板との間において音叉効果が生じ、振動弁から発せられた音の音響が向上するとされている。
【先行技術文献】
【特許文献】
【０００３】
【特許文献１】米国特許出願公開第２０１２／０１９２６９７号
【発明の概要】
【発明が解決しようとする課題】
【０００４】
しかしながら、前記従来の技術において、弾かれた振動弁から、隣り合う各音の振動弁およびその振動弁に対向する振動板との間には、それぞれ空間があるため、弾かれた振動弁の振動は、対向する振動板以外の他の振動板に十分に伝わらない。そのため、一般的に、オルゴールのピン構造として、各振動弁を備える一枚の平板で構成される。しかし、ピン構造が、振動板を備える一枚の平板で構成される場合、振動弁が弾かれて発生させられた音は、他の振動板等に伝播することなく逃げてしまうおそれがある。このため、振動弁が弾かれて発生する音は減衰し、弾かれた振動弁の振動として伝達して響き渡らせることができない。
【０００５】
本発明は、以上の事情を背景として為されたものであり、その目的とするところは、所望の音響を実現するオルゴールを提供することにある。
【課題を解決するための手段】
【０００６】
斯かる目的を達成するために、本願の請求項１に係る発明の要旨とするところは、複数の振動弁を備える振動板と、前記振動板の端部であって、前記複数の振動弁が備えられた一端とは異なる端部が固定される台座と、前記複数の振動弁に接触可能であって、前記複数の振動弁に対応して設けられた複数の爪と、前記台座から、前記振動板において前記複数の振動弁が延びる方向に突出し、前記複数の振動板と対向する位置にわたって設けられたフランジ部とを、備えたことを特徴とするオルゴールである。
【０００７】
前記請求項１に係る発明に従属する本願の請求項２に係る発明の要旨とするところは、前記複数の振動弁は、それぞれの音高に対応して異なる弁長さ寸法で形成されたものであり、前記フランジ部は、前記複数の振動弁のうち最長の振動弁の弁長さ寸法に対応する突出長さ寸法で形成されたものである。
【０００８】
前記請求項１又は２に係る発明に従属する本願の請求項３に係る発明の要旨とするところは、前記複数の振動弁は、それぞれの音高に対応して異なる弁長さ寸法で形成され且つ前記弁長さ寸法が長い順番に所定の方向に配列されたものであり、前記フランジ部は、前記複数の振動弁のうち、長弁側の所定本数の振動弁に対向する位置に突出して形成されたものである。
【０００９】
前記請求項１から３の何れか１項に係る発明に従属する本願の請求項４に係る発明の要旨とするところは、前記複数の振動弁は、それぞれの音高に対応して異なる弁長さ寸法で形成され且つ前記弁長さ寸法が長い順番に所定の方向に配列されたものであり、前記フランジ部は、前記複数の振動弁が設けられる面と平行であり、前記複数の振動弁のうち、長弁側の所定本数の振動弁と短弁側の所定本数の振動弁とに対向する位置に突出して形成されたものである。
【００１０】
前記請求項１から４の何れか１項に係る発明に従属する本願の請求項５に係る発明の要旨とするところは、前記振動弁の振動に共振する共鳴板を備え、前記台座は、前記共鳴板に直接又は間接的に固定されており、前記フランジ部の振動が前記共鳴板に伝達されるものである。
【発明の効果】
【００１１】
本願の請求項１に係る発明によれば、台座に、複数の振動弁に対向する位置に突出してフランジ部が設けられている。この構成により、振動弁から発生させられた音の振動がフランジ部により反射させられることや、振動がフランジ部から筐体に伝達されることが考えられる。これにより、発音機構により発生させられる音の音量を大きくすることができる。すなわち、所望の音響を実現するオルゴールを提供することができる。
【図面の簡単な説明】
【００１２】
【図１】本発明の一実施例であるオルゴールにおける演奏機構部の構成を例示する斜視図である。
【図２】図１の演奏機構部を第１軸の軸心方向に視た図である。
【図３】図２に示す構成の斜視図である。
【図４】図１のオルゴールに備えられた振動板及び台座の構成を詳しく説明する平面図である。
【図５】図４のV-V視断面図である。
【図６】図１のオルゴールにおいてスターホイールにおける突起部が振動板の振動弁を弾いて音を奏でる作動を説明する図である。
【図７】図１のオルゴールにおいて演奏機構部が筐体内に収容された様子を説明する概略図である。
【図８】図１のオルゴールにおけるＥＣＵに備えられた制御機能の要部を説明する機能ブロック線図である。
【図９】図１のオルゴールに好適に備えられる、振動板及び台座の構成の他の一例を詳しく説明する平面図である。
【図１０】図１のオルゴールに好適に備えられる、振動板及び台座の構成の更に別の一例を詳しく説明する平面図である。
【図１１】従来一般的であったオルゴールの構成を概略的に示す図である。
【発明を実施するための形態】
【００１３】
以下、本発明の好適な実施例を図面に基づいて詳細に説明する。
【実施例１】
【００１４】
図１は、本発明の一実施例であるオルゴール１０における演奏機構部１００の構成を斜め上方から視た様子を例示する斜視図である。本実施例において、オルゴール１０の上方とは、オルゴール１０が図示しない設置平面部に設置される際の上方（略鉛直上方）をいう。図１に示すように、本実施例のオルゴール１０は、第１軸１２を中心として回転可能に設けられた複数（例えば、４０個）のスターホイール１４を備えている。第１軸１２に沿って設けられた振動板１６を備えている。振動板１６には、複数のスターホイール１４にそれぞれ対応する複数の振動弁１８が第１軸１２に沿って設けられている。第１軸１２と並んで第２軸２０が設けられている。好適には第１軸１２と平行に第２軸２０が設けられている。第２軸２０を中心として回動可能に設けられた、複数のスターホイール１４にそれぞれ対応する複数の係止部材２２を備えている。複数の係止部材２２にそれぞれ対応する複数の電磁石２４を備えている。第１軸１２と平行に第３軸２６が設けられている。第３軸２６に相対回転不能に設けられてその第３軸２６と一体的に回転させられる、複数のスターホイール１４にそれぞれ対応する複数のサンホイール２８を備えている。第１軸１２及び第３軸２６をそれぞれの軸心まわりの回転可能に、第２軸２０を回転不能に支持すると共に、複数の電磁石２４等が組み付けられるフレーム２９を備えている。振動板１６が固定される台座３０を備えている。第１軸１２及び第３軸２６をそれぞれの軸心まわりに同期して回転駆動するための駆動力を発生させるモータ３２を備えている。複数の振動弁１８は、予め定められた複数の音高（音階）にそれぞれ対応し、後述するようにスターホイール１４の爪３６により弾かれることで対応する音階の音を奏でるように構成されている。オルゴール１０において、図１のように構成された演奏機構部１００は、フレーム２９及び台座３０等が後述する筐体３４に組み付けられることで、その筐体３４の内部に収容される。
【００１５】
図７は、図１に示す本実施例のオルゴール１０における演奏機構部１００が筐体３４内に収容された様子を説明する概略図である。図７に示すように、オルゴール１０は、第１軸１２、複数のスターホイール１４、振動板１６、第２軸２０、複数の係止部材２２、複数の電磁石２４、第３軸２６、複数のサンホイール２８等の構成を収容する筐体３４を備えている。すなわち、図１のように構成された演奏機構部１００は、フレーム２９及び台座３０等が筐体３４に組み付けられることで、筐体３４の内部に収容されている。筐体３４は、底板として、共鳴板３４ａを備える。共鳴板３４ａは、振動弁１８の振動に共振する機能を有する。台座３０は、共鳴板３４ａに直接又は間接して固定されている。好適には、台座３０と、共鳴板３４ａとが、振動伝達部材である魂柱３５を介して接続されていることにより、間接して固定されている。或いは、台座３０が共鳴板３４ａに載置され、直接固定されたものであってもよい。図７に一点鎖線Ｌで示すように、好適には、第２軸２０の中心と、複数の電磁石２４のうち少なくとも一部は、筐体３４の共鳴板３４ａに沿った同一平面上に配置されたものである。なお、全ての電磁石２４が、筐体３４の共鳴板３４ａに沿った同一平面上に配置されたものでなくともよい。筐体３４の上側平面部には、その筐体３４内部の様子を視認するためののぞき窓３４ｂが設けられている。こののぞき窓３４ｂには、ガラス板等の透明な材料による蓋部（非図示）が設けられる。図７に示すように、オルゴール１０は、複数の電磁石２４それぞれの励磁乃至非励磁を制御する制御部としてのＥＣＵ（Electric Control Unit）６０を備えている。
【００１６】
図２は、オルゴール１０の演奏機構部１００におけるスターホイール１４、係止部材２２、及びサンホイール２８等の構成を説明するために、それらの構成を第１軸１２の軸心方向に視た図である。図３は、図２に示すスターホイール１４、係止部材２２、及びサンホイール２８等の構成を斜め上方から視た様子を示す斜視図である。図３においては、複数のスターホイール１４のうち２つのスターホイール１４ａ、１４ｂと、それらに対応する係止部材２２ａ、２２ｂ及び電磁石２４ａ、２４ｂ等を例示している。スターホイール１４ａ、１４ｂに対応するサンホイール２８ａ、２８ｂを例示すると共に、そのサンホイール２８ｂに隣接するサンホイール２８ｃを併せて示している。隣接するサンホイール２８とは、第３軸２６に沿ってその軸を中心に並んで配置されているサンホイール２８をいう。図３以外の図面である図１及び図２等において、個々のスターホイール１４ａ、１４ｂを特に区別しない場合には単にスターホイール１４として図示している。個々の係止部材２２ａ、２２ｂを特に区別しない場合には単に係止部材２２として図示している。個々のサンホイール２８ａ、２８ｂ、２８ｃを特に区別しない場合には単にサンホイール２８として図示している。スターホイール１４と係止部材２２とが対応するとは、その係止部材２２の係止状態においてそのスターホイール１４の回転が係止されることをいう。スターホイール１４とサンホイール２８とが対応するとは、そのスターホイール１４のギヤ部３８とそのサンホイール２８の外周歯４０とが相互に噛み合うことをいう。図２においては、フレーム２９及び魂柱３５等の図示を省略している。図６においても同じである。図３においては、振動板１６、フレーム２９、及び台座３０等の図示を省略すると共に、第１軸１２、第２軸２０、及び第３軸２６それぞれの一部を省略（切断）して示している。
【００１７】
図２及び図３に示すように、スターホイール１４は、複数の爪３６を備えている。爪３６は、スターホイール１４の径方向外側に向けて放射状に形成された突起部である。好適には、スターホイール１４の周方向に等位相で４つの爪３６を備えている。すなわち、スターホイール１４の周方向に９０°毎に爪３６が設けられている。スターホイール１４は、爪３６よりも内周側（径方向内側）に複数のギヤ部３８を備えている。好適には、各爪３６に対応する位置に２歯ずつの突出部としてのギヤ部３８を備えている。ギヤ部３８は、複数のスターホイール１４が第１軸１２に沿って配置される間に配置されている。すなわち、ギヤ部３８は、第１軸１２の軸方向に関して、爪３６とは異なる位置に配置される。具体的には、軸方向に関して相互に隣接する爪３６相互間に配置される。サンホイール２８は、径方向外側に向けて複数の外周歯４０を備えて構成されている。図２に示すように、スターホイール１４が第１軸１２に組み付けられた状態において、爪３６は、第１軸１２の軸心を中心とするその回転軌跡が対応する振動弁１８の少なくとも一部に接触する位置に設けられている。且つ、対応する係止部材２２の後述する係止状態においてその係止部材２２に係止される位置に設けられている。この係止される位置とは、爪３６が係止部材２２に当接されられた状態において、スターホイール１４の第１軸１２の回転への追従回転を阻止する位置である。すなわち、爪３６は、振動板１６における振動弁１８を弾くと共に、係止部材２２と接触することで、スターホイール１４の第１軸１２の回転に伴う追従回転を阻止するストッパとして機能する。ギヤ部３８は、第１軸１２の軸心を中心とするその回転軌跡が対応するサンホイール２８の外周歯４０と噛み合わされる位置に設けられている。
【００１８】
図２に一部（破線で囲繞した部分）を拡大して示すように、サンホイール２８の外周歯４０には面取り６８が付けられている。面取り６８は、好適には、外周歯４０の先端部における軸方向の両側部に施されたものである。スターホイール１４の外周部には面取り７０が付けられている。面取り７０は、好適には、スターホイール１４の外径稜線に施されたものである。スターホイール１４の外径稜線とは、スターホイール１４における外周面７２における軸方向両端部である。サンホイール２８の面取り６８及びスターホイール１４の面取り７０の少なくとも一方が施されたものであればよい。スターホイール１４の外周面７２における端部の面取り７０に加えて、爪３６の稜線（軸方向両端部）等に面取りが施されたものであってもよい。
【００１９】
図２に示すように、係止部材２２は、好適には、係止部材２２が第２軸２０を中心にしてスターホイール１４に向けて回動させられることでスターホイール１４における少なくとも１つの爪３６に当接させられる板部材５０を備えている。電磁石２４の励磁状態において、その電磁石２４の磁力により係止部材２２を第１回動方向すなわちスターホイール１４から離隔させられる方向へ回動させる作用を発生させる磁性部材５２を備えている。磁性部材５２は、例えば、鉄、コバルト、ニッケル等の鉄属元素を主成分とする金属である。磁性部材５２は、好適には特に磁化されていない鉄板であるが、磁化された所謂永久磁石であってもよい。係止部材２２において、磁性部材５２は、板部材５０と一体的に設けられたエンジニアリングプラスチック等の合成樹脂部材５４にインサート成形されたものであり、斯かる構成により電磁石２４の吸引による磁性部材５２のビビリが抑制される。
【００２０】
電磁石２４は、好適には、鉄等の磁性材料である鉄芯の周囲に円筒状のコイルを備えている。そのコイルに電流が流されることで励磁状態とされ磁力（磁場）を発生させる。一方、コイルに電流が流されないと非励磁状態とされるよく知られた一般的な電磁石である。本実施例においては、電磁石２４のコイルに電流が流された状態が、電磁石２４が励磁された第１状態に相当する。電磁石２４のコイルに電流が流されない状態が、第１励磁状態より磁力が弱い第２状態に相当する。
【００２１】
図８は、ＥＣＵ６０に備えられた制御機能の要部を説明する機能ブロック線図である。この図８に示す楽譜データベース６２は、オルゴール１０による演奏の対象となる曲にそれぞれ対応する複数の楽譜データを記憶する。楽譜データベース６２は、よく知られたＳＤカード（Secure Digital Card）等の記憶媒体に納められ、ＥＣＵ６０が記憶媒体に記録されたデータを読み取り可能であってもよい。楽譜データは、例えば、ＭＩＤＩ（Musical Instrument Digital Interface）形式のデータであり、予め定められた複数種類の楽器毎に、その楽器に対応する音の出力タイミング及び音階等が定められた複数のトラック（チャンネル）を含んでいる。本実施例のオルゴール１０は、例えば、ＭＩＤＩデータにおけるガイドメロディすなわち主旋律に相当するトラック（チャンネル）の出力タイミング及び音階に基づいて以下に詳述する演奏制御を行う。
【００２２】
係止解除タイミング判定部６４は、複数の係止部材２２それぞれによるスターホイール１４における爪３６の係止を解除するタイミングを判定する。換言すれば、複数の係止部材２２それぞれに対応する電磁石２４の励磁乃至非励磁を切り替えるタイミング（電磁石２４の通電を実行乃至停止するタイミング）を判定する。例えば、楽譜データベース６２に記憶された複数の楽譜データのうち所定の楽譜データに対応する曲の演奏において、その楽譜データに定められた音の出力タイミング及び音階に基づいて前記判定を行う。具体的には、各音階に対応する複数の振動弁１８を楽譜データに定められた出力タイミングで弾くために、係止部材２２によるスターホイール１４における爪３６の係止を解除するタイミングを判定する。第１軸１２及び第３軸２６それぞれの回転速度が一定の値に定まる場合、各スターホイール１４に対応する係止部材２２による係止が解除されてからそのスターホイール１４の爪３６により対応する振動弁１８が弾かれるまでのタイムラグは予め求められる。係止解除タイミング判定部６４は、演奏対象となる楽譜データに基づいて前記判定を行う。楽譜データにおいては、各振動弁１８に対応する音階の出力タイミングが定められている。その出力タイミングよりも前記タイムラグに相当する時間前に、その振動弁１８に対応する係止部材２２によるスターホイール１４における爪３６の係止が解除されるように前記判定を行う。
【００２３】
電磁石励磁／非励磁制御部６６は、係止解除タイミング判定部６４による判定結果に基づいて、複数の電磁石２４それぞれの励磁乃至非励磁を切り替える。すなわち、係止解除タイミング判定部６４による判定結果に基づいて、複数の電磁石２４それぞれの通電を実行乃至停止する制御を行う。具体的には、係止解除タイミング判定部６４により係止部材２２によるスターホイール１４における爪３６の係止を解除するタイミングが判定された場合、そのタイミングで対応する電磁石２４を非励磁状態から励磁状態へ切り替える。すなわち、斯かるタイミングで電磁石２４の通電を開始する。電磁石励磁／非励磁制御部６６は、好適には、電磁石２４を非励磁状態から励磁状態へ切り替えた後、予め定められた規定時間経過後にその電磁石２４を励磁状態から非励磁状態へ切り替える。すなわち、斯かるタイミングで電磁石２４の通電を停止させる。
【００２４】
図２に示すように、電磁石２４は、各係止部材２２に対応して設けられている。好適には、係止部材２２における磁性部材５２が埋設された合成樹脂部材５４の近傍に設けられている。電磁石２４は、磁性部材５２と非接触に設けられている。すなわち、電磁石２４と係止部材２２とは、相互に最も接近した状態において非接触とされるものである。換言すれば、係止部材２２は、後述する係止状態及び非係止状態の何れにおいても、磁性部材５２と電磁石２４との間に所定の間隔があくように構成されたものである。この間隔は、好適には、電磁石２４の励磁状態において、その電磁石２４の磁力作用を磁性部材５２に及ぼし得る範囲内とされる。例えば、電磁石２４と係止部材２２とが相互に最も離隔させられた状態においても、電磁石２４の励磁状態においてはその電磁石２４の磁力により磁性部材５２が引き寄せられるように間隔が設計される。すなわち、係止部材２２をスターホイール１４から離隔させる方向に回動させる引力が発生させられるように、間隔が設計される。好適には、電磁石２４の軸心（鉄芯の中心軸）は、係止部材２２の回動中心すなわち第２軸２０の軸心と交わる位置関係とされる。
【００２５】
図２及び図３に示すように、係止部材２２は、好適には、スナップばね（ねじりコイルばね）５６を備えている。スナップばね５６は、係止部材２２をスターホイール１４に向けて回動させる方向に付勢する付勢部材である。係止部材２２及び板部材５０は、好適には、電磁石２４の非励磁状態においては、スナップばね５６により付勢されることでスターホイール１４に向けて回動させられる。そして、板部材５０は、スターホイール１４に設けられた複数の爪３６の少なくとも１つを係止する係止状態（図２等を参照）とされる。一方、電磁石２４の励磁状態においては、係止部材２２及び板部材５０は、電磁石２４の磁力によりスナップばね５６による付勢に逆らって第２軸２０を中心として第１回動方向、すなわち、スターホイール１４から離隔させられる方向に回動させられる。そして、電磁石２４による磁力に応じた磁性部材５２を引き寄せる力（引力）とスナップばね５６の付勢力が釣り合った位置において係止部材２２が停止される。すなわち、板部材５０による爪３６の係止が解除される非係止状態（後述する図６を参照）とされる。すなわち、本実施例においては、係止部材２２及び電磁石２４が、スターホイール１４の駆動を制御する駆動制御部に対応する。
【００２６】
図２及び図３に示すように、複数の電磁石２４及び各電磁石２４に対応する係止部材２２は、好適には、第１群に属する複数の電磁石２４及び係止部材２２と、第２群に属する複数の電磁石２４及び係止部材２２とが、第１軸１２の軸心を中心とする周方向に９０°の位相差で（すなわち相互に９０°の角度を成す位置に）配設されている。好適には、複数の電磁石２４のうち最も端に設けられた電磁石２４から他端側へ向かって１からｎ（他端における電磁石２４に対応）までの数値を付した場合、奇数を付された複数の電磁石２４が前記第１群に、偶数を付された複数の電磁石２４が前記第２群にそれぞれ属する。すなわち、本実施例のオルゴール１０において、好適には、例えば図３に示すスターホイール１４ａ、１４ｂのように、相互に隣接するスターホイール１４にそれぞれ対応する電磁石２４（図３においては電磁石２４ａ、２４ｂ）が、第１軸１２の軸心を中心とする周方向に９０°の位相差で交互に配設されている。斯かる構成とすることで、オルゴール１０における演奏機構部１００の構成（特に、複数の電磁石２４）の配設スペースを可及的に小さくすることができ、装置を小型化することができる。
【００２７】
図２及び図６は、以上のように構成されたオルゴール１０における演奏機構部１００の具体的な作動について説明する図である。オルゴール１０による演奏時において、第１軸１２及び第３軸２６は、図６等に矢印で示すように、モータ３２の駆動により常時それぞれの軸心まわりに同期的に回転させられている。第１軸１２及び第３軸２６は、相互に逆回りに回転駆動されており、好適には、第１軸１２はスターホイール１４に設けられた爪３６が振動板１６の振動弁１８を下方から上方に向けて弾く方向に回転される。第３軸２６はサンホイール２８の外周歯４０とスターホイール１４のギヤ部３８とが噛み合った状態において、スターホイール１４を回転駆動する方向すなわち図６に矢印で示す方向にそれぞれ回転させられている。複数のサンホイール２８は、第３軸２６に対して相対回転不能に設けられているため、オルゴール１０による演奏時においては、第３軸２６の軸心まわりの回転に伴い常時それぞれの軸心まわりに回転させられている。
【００２８】
図２を用いて係止部材２２が係止状態とされた場合における作動を説明する。図２に示すように、対応する電磁石２４に対する通電が行われず、電磁石２４が非励磁状態とされている場合には、係止部材２２の板部材５０は、スナップばね５６により付勢される。これにより、係止部材２２は、スターホイール１４側に回動させられ、スターホイール１４に設けられた複数の爪３６の少なくとも１つを係止する係止状態とされる。すなわち、複数の爪３６の少なくとも１つにおける第１軸１２の回転方向側（回転が進む側）に、板部材５０における先端部が当接させられる。スターホイール１４は、第１軸１２との接触部位における摩擦力により、第１軸１２に追従回転させられるように構成されている。図２に示すような状態においては、係止部材２２が係止状態とされていることで、接触部位における摩擦力に逆らってスターホイール１４の第１軸１２に対する追従回転が阻止される。換言すれば、第１軸１２の軸心を中心とするスターホイール１４の位相（振動弁１８等に対する位置関係）が固定されたまま、そのスターホイール１４における組付穴部４６と第１軸１２との接触面が軽い負荷をもって滑りつつそれらが相対回転させられる状態となる。斯かる状態においては、スターホイール１４におけるギヤ部３８はサンホイール２８における外周歯４０と噛み合わない位置とされ、サンホイール２８の回転はスターホイール１４の回転に影響しない。
【００２９】
次に、係止部材２２が、図２に示す係止状態から図６に示す非係止状態へ切り替えられる場合における作動を説明する。図２に示す状態から、電磁石２４に対する通電が行われると、通電された電磁石２４が励磁状態とされる。そして、係止部材２２の板部材５０が電磁石２４の磁力によりスナップばね５６による付勢に逆らって第２軸２０を中心としてスターホイール１４から離隔させられる方向（第１回動方向）に回動させられる。これにより、板部材５０による爪３６の係止が解除される非係止状態とされる。すなわち、スターホイール１４が、第１軸１２との接触部位における摩擦力によりその第１軸１２に追従回転させられる状態とされる。
【００３０】
電磁石２４が励磁状態となり、磁性部材５２と、電磁石２４における軸心の先端とが最も接近させられるとき、電磁石２４と磁性部材５２との間には空間が存在し、非接触とされる。好適には、磁性部材５２における電磁石２４側の面は第２軸２０を中心とする部分円筒状の曲面とされている。このため、係止部材２２が第２軸２０まわりに回動させられても、電磁石２４と磁性部材５２との空間間隔が変化しないように構成されている。
【００３１】
図６は、スターホイール１４の爪３６が振動板１６の振動弁１８を弾いて音を発生させる作動を説明している。係止部材２２が非係止状態とされ、板部材５０による爪３６の係止が解除される。その後、スターホイール１４が、第１軸１２との接触部位における摩擦力によりその第１軸１２に追従回転させられる。すると、図６に示すように、複数の爪３６のうち１つの爪３６が振動板１６の振動弁１８に接触させられる位相付近において、爪３６に隣接する回転方向側（すなわち回転方向に９０°の位相差で設けられた）爪３６に対応するギヤ部３８がサンホイール２８の外周歯４０と噛み合わされる。この状態においては、サンホイール２８の回転によりスターホイール１４が図６に矢印で示す方向すなわち爪３６が振動板１６の振動弁１８を下方から上方に向けて弾く方向に駆動される。斯かる作動によって振動弁１８が爪３６により弾かれ、振動弁１８に対応する音階の音が奏でられる。そのようにして振動弁１８を弾いた後、スターホイール１４が更に第１軸１２に追従回転させられることでギヤ部３８とサンホイール２８の外周歯４０とが再び噛み合わない状態となる。電磁石２４が通電され、ギヤ部３８と外周歯４０とが噛み合う状態となってから、再びギヤ部３８と外周歯４０とが噛み合わない状態となるまでの移行過程において電磁石２４の通電が停止され、電磁石２４が非励磁状態とされる。これにより、スナップばね５６の付勢により係止部材２２がスターホイール１４に向けて回動させられ、再び図２に示す状態に復帰させられる。
【００３２】
図４は、振動板１６及び台座３０の構成を詳しく説明する平面図である。図５は、図４のV-V視断面図である。図４及び図５に示すように、振動板１６は、複数の振動弁１８が備えられた一端とは異なる部分において台座３０に固定されている。好適には、複数の振動弁１８が備えられた側と反対側の端部において台座３０に固定されている。好適には、図４及び図５に示すように、台座３０における振動板１６が取り付けられる部分（上面部）に複数（本実施例では８本）のねじ穴（雌ねじ）３０ａが形成されている。振動板１６における各ねじ穴３０ａに対応する部分には貫通穴１６ａが設けられている。振動板１６は、複数（本実施例では８本）のねじ（雄ねじ）４２が各貫通穴１６ａに挿通された状態で各ねじ穴３０ａに締結（螺合）されることで台座３０に対して固定（ねじ止め）されている。振動板１６の台座３０に対する固定は、ねじ止め固定の他、溶接、ろう接、接着剤による接着等により行われるものであってもよい。
【００３３】
図４に示すように、振動板１６には、複数（例えば、４０本）の振動弁１８が設けられている。なお、本実施形態では、複数の振動弁１８は、振動板１６と一体形成されている。振動板１６は、各振動弁１８が、一端を自由端、他方を固定端として形成されている。台座３０は、固定部を備えている。固定部は、複数の振動弁１８の固定端側を、台座３０に対して固定するために備えられる。振動弁１８それぞれの固定端に沿って、一定距離離れた間隔で、複数の固定部が備えられる。本実施例においては、ねじ穴３０ａ及びねじ４２等が斯かる固定部に対応する。複数の振動弁１８は、図１等に示すように、複数のスターホイール１４にそれぞれ対応する。振動弁１８がスターホイール１４に対応するとは、スターホイール１４に備えられた爪３６が振動弁１８を弾くことが可能な位置に配置されたことを言う。振動板１６が台座３０に組み付けられることで、複数の振動弁１８が第１軸１２に沿って設けられる構成となる。複数の振動弁１８は、予め定められた複数の音階にそれぞれ対応する。後述するようにスターホイール１４の爪３６により弾かれることで対応する音階の音を奏でるように構成されている。すなわち、振動弁１８は、オルゴール１０における発音体である。換言すれば、複数の振動弁１８は、スターホイール１４の爪３６により弾かれることで、それぞれ異なる周波数の音を発生させる。このため、複数の振動弁１８は、それぞれの特性が異なる。例えば、図４に示すように、各振動弁１８が複数配列される寸法が音高に応じて異なる。以下、各振動弁１８の寸法を、弁長さ寸法と呼ぶ。弁長さ寸法は、複数の振動部弁１８が配列される配列方向と交差する方向における振動弁１８の長さである。また、複数の振動部弁１８が配列される配列方向における振動弁１８の長さを、幅寸法と呼ぶ。例えば、振動弁１８に対応する音高が高いほど弁長さ寸法が短く、音高が低いほど弁長さ寸法が長い。すなわち、最高音に対応する振動弁１８は、最短の弁長さ寸法を備えた振動弁となる。最低音に対応する振動弁１８が、最長の弁長さ寸法を備えた振動弁になる。図４に示すように、振動板１６に、複数の振動弁１８が、弁長さ寸法の長さ順に配列される。すなわち、振動板１６に配列された複数の振動弁１８は、一端に、最高音に対応する最短の弁長さ寸法を備えた振動弁が設けられる。また、他端に、最低音に対応する振動弁１８が最長の弁長さ寸法を備えた振動弁が設けられる。そして、一端に備えられた最短の弁長さ寸法の振動弁から順に、弁長さ寸法の長さが長くなるように、配列方向に複数の振動弁が備えられる。さらに、幅寸法が短くなる、すなわち細くなるほど、音高が高くなる。また、幅寸法が長くなる、すなわち太くなるほど、音高が低くなる。図４に示すように、本実施例において各振動弁１８は、複数の振動弁１８の先端側すなわちスターホイール１４に対向する側が揃えられているが、逆側すなわち根本側が揃えられたものであってもよい。
【００３４】
台座３０は、円柱状の魂柱３５を介して共鳴板３４ａに固定されている。すなわち、魂柱３５は、台座３０と共鳴板３４ａとの間に配置され、台座３０に固定され且つ共鳴板３４ａに固定される振動伝達部材に相当する。魂柱３５は、例えば中空管状の部材であり、好適には木製である。例えば、スプルース（トウヒ）等の木材が好適に用いられる。或いは、魂柱３５は金属製であってもよい。好適には、図５及び図７に示すように、台座３０における魂柱３５が取り付けられる部分（底面部）にねじ穴（雌ねじ）３０ｂが形成されている。台座３０の底面３０ｄにおけるねじ穴３０ｂの周囲には、魂柱３５の外径寸法に合わせて円形の窪み３０ｃが形成されている。共鳴板３４ａには、魂柱３５が取り付けられる部分に対応して貫通穴３４ｃが形成されている。魂柱３５における一方の端部が台座３０の窪み３０ｃに嵌め入れられ、他方の端部が共鳴板３４ａの貫通穴３４ｃと中空が略一致する位置関係とされた状態で、ねじ（雄ねじ）４４が貫通穴３４ｃ及び魂柱３５の中空に挿通されて台座３０のねじ穴３０ｂに締結（螺合）されることで、台座３０、魂柱３５、及び共鳴板３４ａが相互に固定されている。好適には、台座３０と共鳴板３４ａとの間に１本の魂柱３５が設けられたものであるが、複数本の魂柱３５が設けられたものであってもよい。魂柱３５は必ずしも円柱状ではなく、角柱状等に構成されたものであってもよい。魂柱３５は中空管状に形成されたものでなくともよい。斯かる構成において、魂柱３５は、その一方の端部において台座３０にねじ止めされ、他方の端部において他のねじで共鳴板３４ａにねじ止めされるものであってもよい。
【００３５】
図４及び図５に示すように、台座３０は、その台座３０から鍔状に突出して設けられたフランジ部３０ｆを備えている。フランジ部３０ｆは、好適には、台座３０と同一の部材から一体に形成されたものである。好適には、振動弁１８の振動により発生させられる振動を伝達或いは反射するために十分な剛性を備えた材料から成るものであり、例えば亜鉛ダイキャスト等により台座３０と一体成形されたものである。フランジ部３０ｆの厚み寸法ｔすなわち上下方向（フランジ部３０ｆと振動弁１８との最短距離に相当する方向）の寸法は、台座３０の厚み寸法よりも薄い。例えば、フランジ部３０ｆの厚み寸法ｔは、台座３０の厚み寸法の１／４未満である。フランジ部３０ｆの幅寸法ｗすなわち配列方向（複数の振動弁１８が配列された方向）の寸法は、少なくとも振動板１６よりも長いものとされる。フランジ部３０ｆは、好適には、台座３０における上面側すなわち振動板１６が固定された側に設けられている。換言すれば、フランジ部３０ｆの下側面と台座３０の底面３０ｄとの間の距離Ｄは０よりも大きい。フランジ部３０ｆは、台座３０に設けられた固定部すなわち振動板１６と台座３０との接触面より下方に設けられる。フランジ部３０ｆは、好適には、魂柱３５が固定された位置の近傍に設けられている。換言すれば、台座３０において振動弁１８の延伸方向を考えた場合、魂柱３５は、台座３０の中央よりもフランジ部３０ｆ側に固定されている。
【００３６】
フランジ部３０ｆの突出方向は、台座３０に固定された振動板１６から複数の振動弁１８が延びる方向と同方向とされている。好適には、振動板１６とフランジ部３０ｆとは略平行に設けられている。すなわち、フランジ部３０ｆは、複数の振動弁１８が設けられる面と略平行である。図４及び図５に示すように、フランジ部３０ｆは、複数の振動弁１８と接触しない位置であり且つ複数の振動弁１８と対向する位置にわたって設けられている。換言すれば、図４に示す平面視において、少なくとも複数の振動弁１８に対応する位置にわたってフランジ部３０ｆが設けられている。フランジ部３０ｆは、好適には、複数の振動弁１８のうち最長の振動弁１８の弁長さ寸法に対応する突出長さ寸法で形成されたものである。すなわち、複数の振動弁１８のうち最低音の振動弁１８の弁長さ寸法に対応して、最低音の振動弁１８の弁長さ寸法とほぼ等しい突出長さ寸法、または最低音の振動弁１８の弁長さ寸法より少し短い突出長さ寸法で形成されたものである。スターホイール１４の爪３６により振動弁１８が弾かれた際、図５に破線で示すように振動弁１８は上下方向に振動することにより音を発生させる。この場合、振動弁１８の弁長さ寸法が短い方が同じ振り幅を上げるのに荷重が必要であり、同じ高さで離した場合にエネルギが大きく、速度が速くなる。すなわち、振動弁１８の弁長さ寸法が短い方が周期が短くなり、高周波数となる。フランジ部３０ｆは、好適には、複数の振動弁１８のうち最長の振動弁１８がスターホイール１４の爪３６により弾かれて振動した際に、その振動弁１８に接触しない突出長さ寸法で形成されたものである。
【００３７】
以上に説明したように、本実施例のオルゴール１０は、台座３０に備えられたフランジ部３０ｆであって、複数の振動弁１８が振動板１６から延びる方向に突出し、複数の振動弁１８と対向する位置にわたって設けられたフランジ部３０ｆを備えている。振動板１６の振動は、振動板１６と直接固定された台座３０に伝達される。このフランジ部３０ｆが設けられていることで、台座３０における振動板１６根元部の剛性が増加し、振動の伝達効率が高められる。この結果、振動弁１８の振動により発生させられた音の音響が向上する。換言すれば、振動弁１８の振動に対応して、オルゴール１０の外部に伝達される音が大きくなる。振動弁１８の振動は、台座３０から魂柱３５を介して共鳴板３４ａに伝達される。複数の振動弁１８と対向する位置にわたってフランジ部３０ｆが設けられていることで、振動弁１８の振動がフランジ部３０ｆにより拾われ、そのフランジ部３０ｆから台座３０に伝達される。従って、振動弁１８の振動により発生させられた音が、台座３０及び魂柱３５を介して共鳴板３４ａに伝達されやすくなる。振動弁１８の振動により発生させられた音は、筐体３４の上方すなわちのぞき窓３４ｂが設けられている側にも響く。複数の振動弁１８と対向する位置にわたってフランジ部３０ｆが設けられていることで、振動弁１８の振動がフランジ部３０ｆにより反射させられ、筐体３４の上方側に伝達されやすくなる。以上のような原理により、台座３０にフランジ部３０ｆが設けられていることで、振動弁１８の振動により発生させられた音の音響が向上するものと考えられる。すなわち、本実施例のオルゴール１０において、台座３０に備えられたフランジ部３０ｆは、振動弁１８の振動により発生させられた音をオルゴール１０全体に共鳴させる共鳴部（増音部、反響板）として機能する。
【００３８】
振動弁１８の振動により発生させられた音の音響を更に向上させるため、複数の振動弁１８とフランジ部３０ｆとの間隔（距離）が、各振動弁１８に対応する音高（音階）に対応して定められたものであってもよい。すなわち、各振動弁１８の振動により発生させられる音の振動数（波長）に合わせて、振動弁１８とフランジ部３０ｆとの間隔が設定されたものであってもよい。好適には、各振動弁１８の振動により発生させられる音と、その音がフランジ部３０ｆにより反射された音とが強め合うように、振動弁１８とフランジ部３０ｆとの間隔が設定される。従って、各振動弁１８とフランジ部３０ｆとの間隔は必ずしも一定でなくともよく、振動弁１８に対応する音の波長が大きくなるほど間隔が広くなる等の構成をとるものであってもよい。フランジ部３０ｆは、振動弁１８に対応する音の音高が低くなるほどその厚み寸法ｔが厚くなるように構成されたものであってもよい。
【００３９】
前述のように、本実施例のオルゴール１０は、スターホイール１４の駆動を制御する駆動制御部としての係止部材２２及び電磁石２４を備えている。図７等に示すように、複数のスターホイール１４、係止部材２２、及び電磁石２４は、台座３０に対して振動板１６の延伸方向に設けられたものである。換言すれば、複数のスターホイール１４、係止部材２２、及び電磁石２４は、フランジ部３０ｆに対してその突出方向に設けられたものである。図１１は、従来一般的であったオルゴール２００の構成を概略的に示す図である。図１１に示すオルゴール２００は、台座２０２と、台座２０２に固定された振動板２０４と、振動板２０４に備えられた複数の振動弁２０６と、複数の振動弁２０６を弾く爪を備えたシリンダ２０８とを、備えている。斯かる従来のオルゴール２００では、図１１に示すように、シリンダ２０８の下方に台座２０２を延伸して設けることができる。しかし、本実施例のオルゴール１０のごとき構成では、複数のスターホイール１４及びその駆動制御部が台座３０に対して振動弁１８の延伸方向に存在するため、それらの下に台座３０を延伸して設けることが構成上困難である。従って、図４等を用いて前述したように、台座３０に備えられたフランジ部３０ｆであって、複数の振動弁１８が振動板１６から延びる方向に突出し、複数の振動弁１８と対向する位置にわたって設けられたフランジ部３０ｆを備えていることで、図２及び図６を用いて前述したような作動を可能としつつ、振動弁１８の振動により発生させられた音の音響を向上させることができるのである。
【００４０】
続いて、本発明の他の好適な実施例を図面に基づいて詳細に説明する。音を鳴らす機構である振動弁１８や爪３６の構成（仕様）や、オルゴールの筐体３４の材質や構造によっては、低音側の振動弁１８、中音域の振動弁１８、及び高音側の振動弁１８においてそれぞれ音の大きさや共鳴の特性が異なる場合がある。このような場合には、音響特性の向上を図るために、振動板の特性に合わせて、台座３０のフランジ部３０ｆの形状を変えてもよい。以下の説明において、実施例相互に共通する部分については同一の符号を用いてその説明を省略する。
【実施例２】
【００４１】
図９は、オルゴール１０に好適に備えられる、振動板１６及び台座３０′の構成の他の一例を詳しく説明する平面図である。図９に示すように、振動板１６に、複数の振動弁１８が、弁長さ寸法の長さ順に配列される。すなわち、振動板１６に配列された複数の振動弁１８は、一端に、最高音に対応する最短の弁長さ寸法を備えた振動弁が設けられる。また、他端に、最低音に対応する振動弁１８が最長の弁長さ寸法を備えた振動弁が設けられる。すなわち、振動弁は、弁長さ寸法が短くなるほど、音高が高くなる。また、弁長さ寸法が長くなるほど、音高が低くなる。そして、一端に備えられた最短の弁長さ寸法の振動弁から順に、弁長さ寸法の長さが長くなるように、配列方向に複数の振動弁が備えられる。図９に示す例において、台座３０′に備えられたフランジ部３０ｆ′は、複数の振動弁１８のうち弁長さ寸法が長い振動弁１８から所定本数（本実施例では１３本）の振動弁１８に対向する位置に突出して形成されたものである。つまり、フランジ部３０ｆ′は、複数の振動弁１８のうち低音側の所定本数の振動弁１８に対向する位置に突出して形成されたものである。なお、本実施形態では、複数の振動弁１８は、３つの領域で構成される。具体的には、３分の１ずつの領域に、高音域、中音域、低音域が設けられている。すなわち、４０本の振動弁１８の内訳は、高音域が１３本、中音域が１４本、低音域が１３本である。換言すれば、斯かる低音側の所定本数の振動弁１８以外の振動弁１８に対応する位置（中音域及び高音域に対応する振動弁１８）には、フランジ部３０ｆ′が設けられていない。すなわち、台座３０′から振動弁１８の延伸方向に突出して設けられた構成を有しない。例えば、振動板１６等の構成上、スターホイール１４の爪３６で弾いた際に発生させられる音が、低音側の振動弁１８において小さい場合には、図９に示すように、低音側の振動弁１８にのみ対応してフランジ部３０ｆ′を設けておくことで低音側の振動弁１８に対応する音量が増大するが、余の振動弁１８に対応する音量は変化しない。よって、音域毎のバランスがよくなり、全体の音の共鳴が均一となる。すなわち、振動弁１８の振動により発生させられた音の音響を更に向上させることができる。
【実施例３】
【００４２】
図１０は、オルゴール１０に好適に備えられる、振動板１６及び台座３０″の構成の更に別の一例を詳しく説明する平面図である。なお、図１０で用いられる振動板１６及び振動弁１８は、図９に示す例と同じである。図１０に示す例において、台座３０″に備えられたフランジ部３０ｆ″は、複数の振動弁１８のうち弁長さ寸法が長い振動弁１８から所定本数（本実施例では１３本）の振動弁１８と、弁長さ寸法が短い振動弁１８から所定本数（本実施例では１３本）の振動弁１８とに対向する位置に突出して形成されたものである。つまり、フランジ部３０ｆ′は、複数の振動弁１８のうち低音側の所定本数の振動弁１８と、高音側の所定本数の振動弁１８とに対向する位置にそれぞれ突出して形成されたものである。換言すれば、斯かる低音側及び高音側それぞれにおける所定本数の振動弁１８以外の振動弁１８に対応する位置（中音域に対応する振動弁１８）には、フランジ部３０ｆ″が設けられていない。すなわち、台座３０″から振動弁１８の延伸方向に突出して設けられた構成を有しない。例えば、振動板１６等の構成上、スターホイール１４の爪３６で弾いた際に発生させられる音が低音域及び高音域で比較的小さく、中音域で比較的大きい場合には、図１０に示すように、低音側の振動弁１８及び高音側の振動弁１８に対応してフランジ部３０ｆ″を設ける一方、中音域の振動弁１８に対応してはフランジ部３０ｆ″を設けない構成とすることで低音側及び高音側の振動弁１８に対応する音量が増大するが、中音域の振動弁１８に対応する音量は変化しない。よって、音域毎のバランスがよくなり、全体の音の共鳴が均一となる。すなわち、振動弁１８の振動により発生させられた音の音響を更に向上させることができる。
【００４３】
以上、本発明の好適な実施例を図面に基づいて詳細に説明したが、本発明はこれに限定されるものではなく、更に別の態様においても実施される。
【００４４】
本発明は、図１〜図１０を用いて前述した構成に限定されるものではない。例えば、スターホイール１４に設けられる爪３６の数は４つには限定されず、周方向に９０°毎に設けられたものでなくともよい。スターホイール１４におけるギヤ部３８は、必ずしも爪３６に対応する位置に設けられたものでなくともよく、周方向に位相の異なる位置に設けられたものであってもよい。第１群に属する複数の電磁石２４及び係止部材２２と、第２群に属する複数の電磁石２４及び係止部材２２とが、第１軸１２の軸心を中心とする周方向に９０°の位相差で配設されたものでなくともよく、例えば全ての電磁石２４が同一平面上に一列に配設されたものであってもよい。逆に、爪３６がスターホイール１４の周方向に５つ以上設けられている場合等において、スターホイール１４に設けられた爪３６の数に応じて、複数の電磁石２４及び係止部材２２が、第１軸１２の軸心を中心とする周方向に所定の位相差で３つ以上の位相に対応する位置に配設されたものであってもよい。スターホイール１４を係止させるための構成として、各スターホイール１４に対応して２つ以上の係止部材２２が設けられたものであってもよい。ＥＣＵ６０がインターネット等の通信回線に接続され、その通信回線を介して楽譜データをダウンロードして楽譜データベース６２に蓄積するものであってもよい。その他、スターホイール１４の形状、係止部材２２の構成（板部材５０の形状）、及び各構成の相対位置等は、オルゴールの設計に応じて適宜変更される。例えば、ギヤ部３８は、必ずしも２歯ずつ設けられるものでなくともよく、爪３６が対応する振動弁１８を弾くために十分な距離及び時間だけサンホイール２８から駆動されればよく、１歯或いは３歯以上のギヤ部が設けられたものであってもよい。係止部材２２は、電磁石２４の励磁状態において、電磁石２４の磁力により係止部材２２を第１回動方向へ回動させる作用を発生させる磁性部材として永久磁石を備えても良い。永久磁石は、好適には、電磁石２４が励磁状態とされた場合に電磁石２４との間で反発力（同種の磁極間の斥力）が発生する位置で、板部材５０と一体的に設けられた合成樹脂部材５４にインサート成形されても良い。係止部材２２の板部材５０が電磁石２４の磁力すなわちその電磁石２４と永久磁石との間の斥力によりスナップばね５６による付勢に逆らう。これにより、係止部材２２は、第２軸２０を中心としてスターホイール１４から離隔させられる方向（第１回動方向）に回動させられ、板部材５０による爪３６の係止が解除される非係止状態とされる。
【００４５】
その他、一々例示はしないが、本発明はその趣旨を逸脱しない範囲内において種々の変更が加えられて実施されるものである。
【符号の説明】
【００４６】
１０：オルゴール、１４：スターホイール、１６：振動板、１８：振動弁、２２：係止部材（駆動制御部）、２４：電磁石（駆動制御部）、３０、３０′、３０″：台座、３０ｆ、３０ｆ′、３０ｆ″：フランジ部、３４ａ：共鳴板、３６：爪
【図１】
2015011242.tif 000003
【図２】
2015011242.tif 000004
【図３】
2015011242.tif 000005
【図４】
2015011242.tif 000006
【図５】
2015011242.tif 000007
【図６】
2015011242.tif 000008
【図７】
2015011242.tif 000009
【図８】
2015011242.tif 000010
【図９】
2015011242.tif 000011
【図１０】
2015011242.tif 000012
【図１１】
2015011242.tif 000013